(57)【特許請求の範囲】
【請求項１】
箱形をなし一つの壁板部の外面をＩＣカードが接触又は接近するパネル面としたユニットケースを備えると共に、このユニットケースの内部に、矩形状であって一面がカード読取面とされ当該一面と反対側の面において中心部より離れた部位にメイン制御基板接続用コネクタを有したカード読取装置と、カードリーダユニット固有の調整用制御情報が入力される制御情報入力用基板と、前記メイン制御基板接続用コネクタと接続されるカード読取装置接続用コネクタを有し前記カード読取装置からの情報が与えられると共に前記制御情報入力用基板からの制御情報が与えられるメイン制御基板とを備え、
前記ユニットケースにおける前記一つの壁板部の内面には、カード読取装置配置部が設けられていると共に、このカード読取装置配置部よりも当該ユニットケースの反パネル面方向へずれた位置で前記制御情報入力用基板を決められた向きに配置する制御情報入力用基板配置部が設けられ、さらに、この制御情報入力用基板配置部よりもさらに反パネル面方向へずれた位置で前記メイン制御基板を決められた向きに配置するメイン制御基板配置部が設けられ、
前記カード読取装置を、その読取面が前記ユニットケースの前記一つの壁板部の内面に当てられた状態で前記カード読取装置配置部に配置して取付け、次に前記制御情報入力用基板を、前記制御情報入力用基板配置部に配置することで当該制御情報入力用基板を正規向きで配置された状態のカード読取装置の前記メイン制御基板接続用コネクタを覆わないように位置させて取付け、次に当該メイン制御基板の前記カード読取装置接続用コネクタを前記カード読取装置のメイン制御基板接続用コネクタに接続し、次に前記メイン制御基板を、前記メイン制御基板配置部に配置して取付ける構成のカードリーダユニットであって、
前記制御情報入力用基板に、非正規向きで配置された状態のカード読取装置の前記メイン制御基板接続用コネクタに対して当該メイン制御基板接続用コネクタの少なくとも一部を覆う突片部を形成したことを特徴とするカードリーダユニット。
【発明の詳細な説明】
【技術分野】
【０００１】
本発明はカードリーダユニットに関する。
【背景技術】
【０００２】
従来、入退室セキュリティシステムでは、例えば図１１に示すように、室のドア近傍の壁Ｗにカードリーダユニット１を取り付けており、個人が所有するＩＣカードを前記カードリーダユニット１にかざすと、当該カードリーダユニット１が入室資格の有無を判定し、ドアの電気施錠装置を施錠解除する。
【０００３】
上述したカードリーダユニット１は、図１２に示すように、ユニットケース２に、カード読取装置３、当該カードリーダユニット１固有の制御情報（調整用情報）入力キーなどを備えて制御情報を入力するための制御情報入力用基板４、前記カード読取装置３からの情報が与えられてカード認証や電気施錠装置用の制御指令などを制御するメイン制御基板５を組み込む構成としている。この場合、前記カード読取装置３及び制御情報入力用基板４は各種情報を前記メイン制御基板５に出力する。
【０００４】
ところで、上記カードリーダユニット１におけるカード読取装置３は、他の機種のカードリーダユニットや、カードリーダユニットを使用したセキュリティシステムや認証システムなどでも使用されており、個々にカード読取装置３の大きさや形状が異なると、これらカードリーダユニットや他のシステムにおけるカード読取装置関連の設計や製造も個々に異なってしまい、生産性向上ややコスト低減に不利となってしまう。
【０００５】
このことを考慮して、カード読取装置３を、他の機種のカードリーダユニットや上記各システムで共用化するために、共用化に適した矩形状とする構成が採用されている。上記カード読取装置３には、図１３に示すようにコネクタ３ａが、当該カード読取装置３の中心部から離れた部位（図１３では右端部寄りの部位）に設けられており、このコネクタ３ａは、前記メイン制御基板５のコネクタ５ａ（図１２参照）と接続される。
【０００６】
ところが、カード読取装置３を上述した矩形状とすることで共用化を図り得る反面、カード読取装置３は、図１３に示す正規取付け向きの配置状態に対して、水平に１８０度転回した向き（非正規向き、図１４参照）としても、取付けが可能となる。すると、熟練度の低い作業者だと、カード読取装置３を上記非正規向きに取付けてしまうことがある。この非正規向きでの取付け（以下「誤取付け」という）に気が付かずに、そのまま、制御情報入力用基板４及びメイン制御基板５が図１５に示すようにユニットケース２に取り付けられて、最終的にカードリーダユニットが図１２に示したように完成してしまうと、カードリーダユニット１の読取り性能が当初目標とした性能よりも低下してしまう。
【先行技術文献】
【特許文献】
【０００７】
【特許文献１】特開２００７−８７７９０号公報
【特許文献２】特開２０００−１４２８７０号公報
【発明の概要】
【発明が解決しようとする課題】
【０００８】
前述したように、従来のカードリーダユニット１においては、カード読取装置３を共用化に好適する矩形状としたことによって、当該カード読取装置３の誤取付けが発生しやすくなる。そして、当該誤取付けのままカードリーダユニット１の組み立てが完成すると非接触ＩＣカードとの通信性能が低下してしまう。
【０００９】
本発明は上述の事情に鑑みてなされたものであり、その目的は、カード読取装置の誤取付けが発生したとしても、すぐにこの誤取付けを気付かせることができ、カード読取装置を必ず正規向きに取付けた状態で組み立て完成できるカードリーダユニットを提供することにある。
【課題を解決するための手段】
【００１０】
本発明は次の経緯を経てなされたものである。すなわち、部品が誤取付けされないように対策した技術として公知例調査を行ったところ、前記特許文献１、２を知り得た。
特許文献１では、スイッチ装置の防水パッキンをスイッチの外カバーの正規向き状態に装着させるために、防水パッキンに張り出し部を設けると共に、外カバーに突起を設け、防水パッキンの向きを正規向き状態として外カバーに装着するときには、前記張り出し部が前記突起に当たらずに正常に装着でき、又、防水パッキンを正規向きとせずに外カバーに装着しようとすると前記張り出し部が前記突起に当たって装着できないようにしている。
【００１１】
又、特許文献２では、カセットを収納ケースに収納する構造において、カセットに凹状の矢印表示を形成すると共に、収納ケースにもカセットの収納方向を示す凹凸部模様の矢印形状の表示部を形成し、この表示部が示す方向にカセットの矢印表示の向きを合わせて、当該カセットを挿入させる構成としている。
【００１２】
上述した特許文献１の張り出し部や突起、及び特許文献２の凹状の矢印表示や表示部といった専用の誤取付け防止部材を設けるといった考え方をカードリーダユニットに転用すると、ユニットケースや、カード読取装置に新規部材を追加形成しなければならない。しかしカードリーダユニットは本来的に小型化が要求されていてユニットケース内に新規部材を追加形成するようなスペースがない。特に特許文献２における矢印表示では、作業者がその矢印を目視にて確認するが、その目視を怠るとその矢印方向と逆向きで取付けられるため、誤取付けに気が付かないおそれがある。
【００１３】
そこで新規部材を追加せず、しかもユニット内に余分なスペースが少ないカードリーダユニットでも、カード読取装置の誤取付けを防止するにはどうしたらいいかについて模索した。ここで、カードリーダユニットの内部構成をみた場合、前出の図１２から分かるように、カード読取装置３には、メイン制御基板５のコネクタ５ａと接続するためのコネクタ３ａがもともと設けられており、そして、カード読取装置３が誤取付けされた場合にはこのコネクタ３ａの位置が正規の位置（図１３右側位置）から別の位置（図１４左側位置）へ変化する。しかし、従来では、当該コネクタ３ａの位置が変化しても、メイン制御基板５のコネクタ５ａとの接続が図１５に示すように違和感なく接続できることで、そのカード読取装置３の誤取付けに気付かない、ということが判明した。
【００１４】
上述の事情を踏まえてなされた本発明においては、ユニットケース内に、中心部より離れた部位にメイン制御基板接続用コネクタを有した矩形状のカード読取装置と、カードリーダユニット固有の調整用制御情報が入力される制御情報入力用基板と、前記メイン制御基板接続用コネクタと接続されるカード読取装置接続用コネクタを有し前記カード読取装置からの情報が与えられると共に前記制御情報入力用基板からの制御情報が与えられるメイン制御基板とを、夫々、その順に、カード読取装置配置部、制御情報入力用基板配置部、メイン制御基板配置部により配置し、そして、メイン制御基板の前記カード読取装置接続用コネクタを前記カード読取装置のメイン制御基板接続用コネクタに接続する構成であって、前記制御情報入力用基板に、非正規向きで配置された状態のカード読取装置の前記メイン制御基板接続用コネクタに対して当該メイン制御基板接続用コネクタの少なくとも一部を覆い且つ正規向きで配置された状態のカード読取装置の前記メイン制御基板接続用コネクタに対しては当該メイン制御基板接続用コネクタを覆わない突片部を形成する構成とした。
【００１５】
上記構成において、カード読取装置、制御情報入力用基板、メイン制御基板をユニットケースに組み込む場合には、最初にカード読取装置、次に制御情報入力用基板、最後にメイン制御基板の順で組み込む。上記カード読取装置をカード読取装置配置部に配置する場合、当該カード読取装置が共用化のために矩形状をなすから、前記カード読取装置配置部に対して正規向きでも、この正規向きから平面的に１８０度転回された向き（非正規向き）でも配置可能である。
【００１６】
ここで、カード読取装置がカード読取装置配置部に対して正規向きに配置されたとすると、この後、制御情報入力用基板が制御情報入力用基板配置部に予め決められた向きに配置されたとき、該制御情報入力用基板は、その配置位置で正規位置のメイン制御基板接続用コネクタを覆わない配置関係であるから、カード読取装置のメイン制御基板接続用コネクタを覆うことはない。従って、この後、カード読取装置接続用コネクタをメイン制御基板接続用コネクタに接続する場合、当該メイン制御基板接続用コネクタを覆うものがないので、メイン制御基板のカード読取装置接続用コネクタを支障なくカード読取装置のメイン制御基板接続用コネクタに接続できる。
【００１７】
一方、カード読取装置が、カード読取装置配置部に対して、正規向き状態から平面的に１８０度転回したところの非正規向きに配置されて取付けられたとすると、この非正規向きのカード読取装置のメイン制御基板接続用コネクタの少なくとも一部が、その後取付けられた制御情報入力用基板の突片部により覆われる。この後、作業者がカード読取装置のメイン制御基板接続用コネクタにメイン制御基板のカード読取装置接続用コネクタを接続しようとしたときに、前記突片部が当該メイン制御基板接続用コネクタの少なくとも一部を覆っていることで、この突片部に邪魔されてコネクタ接続ができず、これをもって必ずカード読取装置の誤取付けに気付く。この誤取付けに気が付けば、カード読取装置を付け直すことなる。従って、カード読取装置が誤取付け状態のままでカードリーダユニットが完成してしまうことはなく、常に所期通りの読取性能を保障できる。
【００１８】
しかも、制御情報入力用基板に突片部を形成する程度の構成であるから、新規部材を追加せずに済み、内部に余分なスペースが少ない小形のカードリーダユニットでも、大幅な構造変更や大型化を来すことなく、誤取付け防止を図ることができる。
【００１９】
さらに、制御情報入力用基板に突片部を形成する構成としているが、この制御情報入力用基板自体は、これを搭載するカードリーダユニットの個々に合った専用設計がなされるものであって、もともと共用化し難いものであるから、突片部形成によってカードリーダユニットの生産性が下がるようなことはない。
【図面の簡単な説明】
【００２０】
【図１】本発明の一実施形態を示すもので、前板にカード読取装置及び制御情報入力用基板を取付けた状態の背面図
【図２】カードリーダユニットを壁に組み込んだ状態の正面側からの斜視図
【図３】カードリーダユニット全体を下向きにして示す斜視図
【図４】同状態の一部破断の斜視図
【図５】前板を下向きで示す斜視図
【図６】前板の背面図
【図７】前板にカード読取装置を正規向きに配置した状態の斜視図
【図８】前板にカード読取装置を正規向きに配置し且つ制御情報入力用基板を配置した状態の斜視図
【図９】前板にカード読取装置を正規向きに配置し且つ制御情報入力用基板及びメイン制御基板を配置した状態の斜視図
【図１０】前板にカード読取装置を非正規向きに配置し且つ制御情報入力用基板を配置した状態の背面図
【図１１】従来例を示す図２相当図
【図１２】図４相当図
【図１３】図１相当図
【図１４】図１０相当図
【図１５】カード読取装置が非正規向きに取付けられた状態で制御情報入力用基板及びメイン制御基板が取付けられた状態の斜視図
【発明を実施するための形態】
【００２１】
以下、本発明の一実施形態について図１ないし図１０を参照して説明する。まず、図２にはカードリーダユニット２１が建物のドア近くの壁Ｗに組み込まれた状態（使用状態）を前方（正面）から斜視した形態で示し、図３にはカードリーダユニット２１を後方から斜視した形態で単独で示している。カードリーダユニット２１は、ユニットケース２２を備えている。このユニットケース２２は、このユニットケース２２の一つの壁板部に相当する前板（使用状態で前となる部分）２３と、前面が開放する箱形をなしこの前板２３の裏面側に適宜ねじ（図示せず）などにより取り付けられるケース本体２４とを組み合わせて全体として箱状に構成されている。なお、上記ケース本体２４の開放縁部はフランジ状に形成されていて、前記前板３と合致する構成とされている。そして、この前板２３の外面の下部は図示しない非接触ＩＣカードが接触又は近接する（かざされる）パネル面２３ａとしている。なお、図２には、このパネル面２３ａの範囲を示すための囲い線２３ｋが付設されている。
【００２２】
前記ケース本体２４は上下左右（図２の正面からみて上下左右）の各側板部２４ａ〜２４ｄ及び背板部２４ｅを有して構成されている。
上記ユニットケース２２の内部には、カード読取装置２５と、制御情報入力用基板２６と、メイン制御基板２７とが設けられている。
【００２３】
上記カード読取装置２５は、矩形状をなしており、一面に相当する前面（図２における前面、図４ではこの前面を下向きとしている）がカード読取面２５ｙとされ、当該一面と反対側の面に相当する背面２５ａには、その中心部より離れた部位（図１において例えば両短辺２５ｂ、２５ｃのうち一方の短辺２５ｂのうちの近傍部位）にメイン制御基板接続用コネクタ２５ｄを有している。
【００２４】
なお、このカード読取装置２５は、図示しないが内部にアンテナを備えると共に、ＩＣカードとの通信及びメイン制御基板２７との信号授受のための制御回路を有している。前記メイン制御基板接続用コネクタ２５ｄは前記メイン制御基板２７との信号授受のために当該メイン制御基板２７のカード読取装置接続用コネクタ２７ａと接続される。このカード読取装置２５は、後述するカード読取装置配置部２８により前板２３の裏面の所定部位（下部）に配置されて取り付けられている。
【００２５】
前記制御情報入力用基板２６は、このカードリーダユニット２１固有の各種調整を行うものであり、図示しないがユーザーにより調整用制御情報が入力される入力部を備えている。この入力部は前記前板２３の操作部２３ｂ、２３ｂ（図２参照）を介して操作される。さらにこの制御情報入力用基板２６の一つの辺部には位置決め凹部２６ｉが形成されている。
【００２６】
この制御情報入力用基板２６は、後述する制御情報入力用基板配置部２９により前板２３の裏側のうち前記カード読取装置２５よりは背板部２４ｅ側にずれた位置に配置されて取り付けられている。
【００２７】
前記メイン制御基板２７は、前記カード読取装置２５からの情報が与えられると共に前記制御情報入力用基板２６からの制御情報が与えられるものであり、このカードリーダユニット２１全般の制御やこのカードリーダユニット２１を用いたセキュリティシステムの制御を行う。又、このメイン制御基板２７には、カード読取装置接続用コネクタ２７ａがフレキシブルフラットケーブル２７ｂを介して接続されており、このカード読取装置接続用コネクタ２７ａは前記メイン制御基板接続用コネクタ２５ｄと接続される。さらに、このメイン制御基板２７の一つの辺部には位置決め凹部２７ｉが形成されている。
【００２８】
このメイン制御基板２７は、後述するメイン制御基板配置部３０により前板２３の裏側のうち前記制御情報入力用基板２６よりは背板部２４ｅ側にずれた位置に配置されて取り付けられている。
【００２９】
前記カード読取装置配置部２８は、ユニットケース２２の前記前板２３の裏面に形成されており、これらは例えば４つの位置規制リブ２８ａ〜２８ｄから構成されている。これら４つの位置規制リブ２８ａ〜２８ｄのうち、対をなす位置規制リブ２８ａ、２８ｂの内面間距離寸法Ａ（図６参照）は、前記カード読取装置２５の縦寸法ａ（図１参照）と同じか僅かに大きく設定され、また、上記位置規制リブ２８ａ、２８ｂとは別に対をなす位置規制リブ２８ｃ、２８ｄの内面間距離寸法Ｂ（図６参照）は、前記カード読取装置２５の横寸法ｂ（図１参照）と同じか僅かに大きく設定されている。従って、前記カード読取装置２５は、前記位置規制リブ２８ａ〜２８ｄに囲まれた領域に挿入配置されることにより位置決め状態に前板２３裏面の所定部位に配置され、そして図示しない係止手段やねじ止めなどより前板２３裏側に取付けられる。
【００３０】
ここで、このカード読取装置配置部２８は、矩形状のカード読取装置２５を配置させるためのものであるから、このカード読取装置２５を図１の向きにも、又図１０の向き（図１の向きから平面的に１８０度転回した向き）にも配置可能である。ここでは上記図１に示す向きを正規向きとし、図１０に示す向きを非正規向きとしている。
【００３１】
又、前記カード読取装置２５は、前述したようにアンテナを備えていて、非接触ＩＣカードに例えば電磁誘導で電源を供給し当該電磁誘導又は電波によってデータを送受信するものであるが、このような通信性能は、カードリーダユニット２１の内蔵電子回路である前記制御情報入力用基板２６及びメイン制御基板２７との配置関係（向き）によって変動する。このため、当該カード読取装置２５の通信性能が十分に発揮できるよう前記内蔵電子回路に対する取付け向きを予め調査し、この通信性能が高い取付け向きを前述の図１で示す正規向きとしている。
【００３２】
又、前記制御情報入力用基板配置部２９は、柱状部３１ａ〜３１ｄに形成された受け部２９ａ〜２９ｄにより構成されている。前記柱状部３１ａ〜３１ｄは、前板２３の裏面から立設状態に形成されており、そのうち柱状部３１ｃ、３１ｄは他の柱状部３１ａ、３１ｂより高く形成されている。前記各受け部２９ａ〜２９ｄは、各柱状部３１ａ〜３１ｄに前板２３裏面から同一高さ位置に当該裏面と平行な面で構成されている。この制御情報入力用基板配置部２９は、前記カード読取装置配置部２８よりもユニットケース２２の前記背板部２４ｅ方向にずれた位置に設けられている。なお、一つの受け部２９ａには位置決めリブ２９ｉが形成されている。
【００３３】
前記制御情報入力用基板２６は両側の辺部がこの受け部２９ａ〜２９ｄに配置されるものであり、このとき位置決めリブ２９ｉに前記位置決め凹部２６ｉが嵌合されることにより、当該制御情報入力用基板２６は、前記カード読取装置２５よりもさらに反パネル面２３ａ方向へずれた位置で、予め決められた向きに配置される。この配置後、図示しないねじなどにより前板２３裏側に取付けられる。
【００３４】
ここで、前記図１には、カード読取装置２５が正規向き状態に取り付けられ、且つ前記制御情報入力用基板２６が取り付けられた状態を示しており、又、図１０には、カード読取装置２５が非正規向き状態に取り付けられ、且つ前記制御情報入力用基板２６が取り付けられた状態を示している。
【００３５】
前記図１、図８及び図１０から分かるように、前記制御情報入力用基板２６において前記カード読取装置２５に近い辺縁部２６ｈ部分には、例えば矩形状の突片部２６Ｔが形成されており、この突片部２６Ｔは、制御情報入力用基板２６において、前記カード読取装置２５が非正規向きで配置された状態（図１０参照）では前記メイン制御基板接続用コネクタ２５ｄの一部を覆う形態に、辺縁部２６ｈから突出している。なお、この突片部２６Ｔは、非正規向きの前記メイン制御基板接続用コネクタ２５ｄの全体を覆う大きさとしても良い。ただし、この突片部２６Ｔは、正規向きで配置されたカード読取装置２５の前記メイン制御基板接続用コネクタ２５ｄに対してはこれを覆う形状・大きさとしない。
【００３６】
そして、制御情報入力用基板２６は、制御情報入力用基板配置部２９によって位置決めされて配置されたときには、その辺縁部２６ｈ部分が、正規向きのカード読取装置２５のメイン制御基板接続用コネクタ２５ｄから離れ、且つ前記突片部２６Ｔも該メイン制御基板接続用コネクタ２５ｄから離れており、つまり、該制御情報入力用基板２６は、その配置位置で正規位置のメイン制御基板接続用コネクタ２５ｄを覆わない配置関係であるから、正規向きでは、メイン制御基板接続用コネクタ２５ｄは制御情報入力用基板２６によって覆われない構成とされている。
【００３７】
又、メイン制御基板配置部３０は、柱状部３２ａ、３２ｂに形成された受け部３０ａ、３０ｂと、前記柱状部３１ｃ、３１ｄの先端部に形成された受け部３０ｃ、３０ｄとから構成されている。前記柱状部３２ａ、３２ｂは前板２３裏面から立設状に形成されている。このメイン制御基板配置部３０は、前記制御情報入力用基板配置部２９よりもさらに当該ユニットケース２２の前記背板部２４ｅ方向にずれた位置にあって前板２３裏面と平行な面で構成されている。なお、一つの受け部３０ａには位置決めリブ３０ｄｉが形成されている。
【００３８】
前記メイン制御基板２７は両側の辺部がこの受け部３０ａ〜３０ｄに配置されるものであり、このとき位置決め部３０ｄｉに前記位置決め凹部２７ｉが嵌合されることにより、当該メイン制御基板２７は、前記制御情報入力用基板２６よりも反パネル面２３ａ方向へずれた位置で、決められた向きに配置される。この配置後、ねじなどにより前板２３裏側に取付けられる。
【００３９】
さて、ユニットケース２２に対して前記カード読取装置２５、制御情報入力用基板２６及びメイン制御基板２７を組み付ける場合、まず、図５及び図６に示す前板２３の前記カード読取装置配置部２８に、カード読取装置２５を配置する。このとき、このカード読取装置２５が図７に示す正規向きに配置されて取付けられたとすると、次に図８に示すように、制御情報入力用基板配置部２９に制御情報入力用基板２６を決められた向き（位置決め凹部２６ｉが位置決めリブ２９ｉに嵌合することで向きが決まる）に配置したとき、メイン制御基板接続用コネクタ２５ｄの図８上方（図２後方）は、開放されており、当該メイン制御基板接続用コネクタ２５ｄを塞ぐものはない。
【００４０】
この後メイン制御基板２７を取付けるが、その前にカード読取装置接続用コネクタ２７ａを前記メイン制御基板接続用コネクタ２５ｄに図８上方から接続する。この場合、このカード読取装置接続用コネクタ２７ａの接続は、メイン制御基板接続用コネクタ２５ｄを塞ぐものがないから、支障なく行われる。このコネクタ接続の後、メイン制御基板２７をメイン制御基板配置部３０に配置して取付ける。この後、ケース本体２４を、前板２３にその上方（図８上方）から組付け、もって、カードリーダユニット２１を完成する（図４参照）。
【００４１】
ここで、カード読取装置２５がカード読取装置配置部２８に対して非正規向きに配置されて取付けられたとすると（図１０参照）、このカード読取装置２５のメイン制御基板接続用コネクタ２５ｄの位置は図１０において左側となり、この後、制御情報入力用基板２６が制御情報入力用基板配置部２９に配置されたときに、この図１０に示すように、メイン制御基板接続用コネクタ２５ｄの一部が制御情報入力用基板２６の突片部２６Ｔによって覆われる。
【００４２】
この後、作業者がメイン制御基板接続用コネクタ２５ｄにメイン制御基板２７のカード読取装置接続用コネクタ２７ａを接続しようとしたときに、前記突片部２６Ｔが当該メイン制御基板接続用コネクタ２５ｄの一部を覆っていることで、この突片部２６Ｔに邪魔されてカード読取装置接続用コネクタ２７ａをメイン制御基板接続用コネクタ２５ｄに接続ができず、これをもって必ずカード読取装置２５の誤取付けに気付く。この誤取付けに気が付けば、カード読取装置２５を付け直すことなる。従って、カード読取装置２５が誤取付け状態のままでカードリーダユニット２１が完成してしまうことはなく、常に所期通りの読取性能を保障できる。
【００４３】
この場合、制御情報入力用基板２６に突片部２６Ｔを形成するのみで上述した誤取付け防止を図ることができるから、構成ユニットケース２２や、カード読取装置２５に前述の特許文献１、２で示されるような新規部材を追加形成しなくて済む。そして、制御情報入力用基板２６に突片部２６Ｔを形成する程度の構成であるから、内部に余分なスペースが少ない小形のカードリーダユニットでも、大幅な構造変更や大型化を来すことなく、誤取付け防止を図ることができる。
【００４４】
さらに、制御情報入力用基板２６に突片部２６Ｔを形成する構成としているが、この制御情報入力用基板２６自体は、これを搭載するカードリーダユニットの個々に合った専用設計がなされるものであって、もともと共用化し難いものであるから、突片部２６Ｔ形成によってカードリーダユニット２１の生産性が下がるようなことはない。
【００４５】
ここで、取付け手順として、最初にカード読取装置２５をユニットケース２２に取付け、次に制御情報入力用基板２６を取付け、最後にメイン制御基板２７をユニットケース２２に取付ける順とする理由は、次にある。
【００４６】
カード読取装置２５はＩＣカードを接近して読み取るためであるから、ユニットケース２２におけるパネル面２３ａが存する２３に最も近い部位に設ける必要がある。次に制御情報入力用基板２６は、外部（前板２３）側から調整用制御情報が入力されるものであるから、前記カード読取装置２５の次に前板２３に近づけて前記制御情報入力用基板２６を組み込む。そして、取付け位置の制約が無いメイン制御基板２７を最後に組み込む。そして、制御情報入力用基板２６及びメイン制御基板２７は二層状態であるから、この順での取付けが必須となる。又、カード読取装置２５は既述したように共用化されている。これに対して、制御情報入力用基板２６はカードリーダユニット個々に設計された専用基板であり、従って、この制御情報入力用基板２６からの情報を取得するメイン制御基板２７も専用基板であり、共用化されたカード読取装置２５と専用基板であるメイン制御基板２７とは別々に部品管理される。そして、上述したように、両基板２６、２７の取付け順序が制約されているから、メイン制御基板２７とカード読取装置２５の接続は、当然、組み立てラインでのコネクタ接続となる。この結果、カード読取装置２５及び制御情報入力用基板２６が取り付けられた後、作業スペースの関係から、先にメイン制御基板２７の前記カード読取装置接続用コネクタ２７ａを前記カード読取装置２５のメイン制御基板接続用コネクタ２５ｄに接続し、そしてメイン制御基板２７をユニットケース２２に取付ける。
【００４７】
このようなカードリーダユニット特有の構成及び取付手順によって、必ずカード読取装置２５と制御情報入力用基板２６の取付け後に、メイン制御基板２７の前記カード読取装置接続用コネクタ２７ａを前記カード読取装置２５のメイン制御基板接続用コネクタ２５ｄに接続することになる。従って、カード読取装置２５が誤取付けされれば、上記コネクタ接続の際に、突片部２６Ｔによってその接続ができなくなり、これももってカード読取装置２５の誤取付けに気が付く。
【００４８】
なお、本発明の実施形態は上記実施形態に限られるものではなく、本発明の要旨を逸脱しない範囲内で種々変更して実施できるものである。例えば、突片部は前述した矩形状に限定するものではない。又、カード読取装置配置部、制御情報入力用基板配置部及びメイン制御基板配置部の形状も適宜変更することができる。さらに表示器やテンキーを備えるカードリーダユニットにも適用できる。又、カードリーダユニットは壁組み込み型でなく、単に壁面に設置する形態としても良い。
【００４９】
又、本発明は、カードリーダユニットにおいて、ユニットケースに、カード読取装置、制御情報入力用基板、メイン制御基板がその順に取付けられ、カード読取装置にメイン制御基板接続用コネクタが中心部から離れて存在し、且つカード読取装置及び制御情報入力用基板の取付け後、メイン制御基板のカード読取装置接続用コネクタをカード読取装置のメイン制御基板接続用コネクタに接続する構成のカードリーダユニットを前提とし、上記制御情報入力用基板がカード読取装置の次に取付けられ且つこの次に両コネクタが接続される着目し、制御情報入力用基板の一部である突片部によって誤取付けを認識させるところに特徴があり、単に、部品の誤取付けを防止するために取付けの邪魔をする部材を設けるといった広義の技術からは何の示唆も受けないものであり、共用化されたカード読取装置を使用し且つ小形化も要求されるカードリーダユニット特有の背景事情に対処できたものである。
【符号の説明】
【００５０】
図面中、２１はカードリーダユニット、２２はユニットケース、２３は前板（一つの壁板部）、２３ｙはパネル面、２５はカード読取装置、２５ｄはメイン制御基板接続用コネクタ、２６は制御情報入力用基板、２６Ｔは突片部、２７はメイン制御基板、２７ａはカード読取装置接続用コネクタ、２８はカード読取装置配置部、２９は制御情報入力用基板配置部、３０はメイン制御基板配置部を示す。
【図１】
0005299389.tif 000002
【図２】
0005299389.tif 000003
【図３】
0005299389.tif 000004
【図４】
0005299389.tif 000005
【図５】
0005299389.tif 000006
【図６】
0005299389.tif 000007
【図７】
0005299389.tif 000008
【図８】
0005299389.tif 000009
【図９】
0005299389.tif 000010
【図１０】
0005299389.tif 000011
【図１１】
0005299389.tif 000012
【図１２】
0005299389.tif 000013
【図１３】
0005299389.tif 000014
【図１４】
0005299389.tif 000015
【図１５】
0005299389.tif 000016